(57)【特許請求の範囲】
【請求項１】
関連情報送信装置と、複数の照明装置とを備え、
前記関連情報送信装置は、
コンテンツ出力装置から出力される各々のコンテンツを識別するコンテンツ識別情報と、当該コンテンツのそれぞれに関連する複数のコンテンツ関連情報とを対応付けて記憶する記憶手段と、
前記コンテンツ出力装置から出力されたコンテンツを識別するコンテンツ識別情報を取得する識別情報取得手段と、
前記コンテンツ出力装置と対応する位置に設置されている前記複数の照明装置を特定する照明特定手段と、
前記識別情報取得手段によって取得されたコンテンツ識別情報に対応する前記複数のコンテンツ関連情報を前記記憶手段から読み出し、前記照明特定手段によって特定された複数の照明装置のそれぞれに対して、当該読み出した複数のコンテンツ関連情報の中から選択された互いに異なる一のコンテンツ関連情報を送信する第１の送信手段とを備え、
前記複数の照明装置はそれぞれ、
前記関連情報送信装置の前記第１の送信手段によって自装置宛に送信された前記コンテンツ関連情報を受信する第１の受信手段と、
前記第１の受信手段によって受信された前記コンテンツ関連情報を表す信号を、光源から照射される可視光に乗せて送信する第２の送信手段とを備える
ことを特徴とする関連情報送信システム。
【発明の詳細な説明】
【技術分野】
【０００１】
本発明は、コンテンツ出力装置から出力されるコンテンツに関連する情報を送信する技術に関する。
【背景技術】
【０００２】
近年、可視光を利用して情報を送信する可視光通信の技術が開発されている。例えば、特許文献１〜４には、可視光通信を高速化させるための技術が開示されている。
【先行技術文献】
【特許文献】
【０００３】
【特許文献１】特開２００７−８１７０３号公報
【特許文献２】特開２００６−２７０８０８号公報
【特許文献３】特開２００７−１９９３５号公報
【特許文献４】特開２００７−１９８７０号公報
【発明の概要】
【発明が解決しようとする課題】
【０００４】
ところで、飲食店や服飾店等の施設でＢＧＭが流れているときに、例えば気に入った楽曲があった場合には、その楽曲の曲名や歌手名、あるいは発売日など楽曲に関連する情報を得たいと思うことがある。その場合、例えば楽曲を放音しているスピーカ装置からその楽曲に関連する情報を放音すると、楽曲を阻害してしまうことになる。そのため、楽曲に関連する情報を、上述した可視光通信を行う照明装置から取得できると便利である。
しかしながら、可視光通信を行う照明装置とＢＧＭ等を放音するスピーカ装置とは、従来なんら関連なく設置されおり、また、それらの位置関係も不明なため、スピーカ装置から放音されている楽曲などに関連した情報を可視光通信によって、その近傍から送信するということはできなかった。
本発明はこのような背景に鑑みてなされたものであり、スピーカ装置などのコンテンツ出力装置から出力される楽曲などのコンテンツに関連する情報を、そのコンテンツ出力装置と対応する位置に設けられている照明装置から送信することを目的とする。
【課題を解決するための手段】
【０００５】
上述した課題を解決するため、本発明は、コンテンツ出力装置と、関連情報送信装置と、照明装置とを備え、前記コンテンツ出力装置は、取得したコンテンツデータに応じたコンテンツを出力する出力手段を備え、前記関連情報送信装置は、前記コンテンツ出力装置の前記出力手段から出力される各々のコンテンツを識別するコンテンツ識別情報と、当該コンテンツに関連するコンテンツ関連情報とを対応付けて記憶する記憶手段と、前記コンテンツ出力装置の前記出力手段から出力されたコンテンツを識別するコンテンツ識別情報を取得する識別情報取得手段と、前記コンテンツ出力装置と対応する位置に設置されている前記照明装置を特定する照明特定手段と、前記識別情報取得手段によって取得されたコンテンツ識別情報に対応する前記コンテンツ関連情報を前記記憶手段から読み出して、前記照明特定手段によって特定された照明装置宛に送信する第１の送信手段とを備え、前記照明装置は、前記関連情報送信装置の前記第１の送信手段によって自装置宛に送信された前記コンテンツ関連情報を受信する第１の受信手段と、前記第１の受信手段によって受信された前記コンテンツ関連情報を表す信号を、光源から照射される可視光に乗せて送信する第２の送信手段とを備えることを特徴とする関連情報送信システムを提供する。
【０００６】
また、本発明は、コンテンツ出力装置と、関連情報送信装置と、照明装置とを備え、前記コンテンツ出力装置は、取得したコンテンツデータに応じたコンテンツを出力する出力手段を備え、前記関連情報送信装置は、前記コンテンツ出力装置の前記出力手段から出力される各々のコンテンツを識別するコンテンツ識別情報と、当該コンテンツに関連するコンテンツ関連情報とを対応付けて記憶する記憶手段と、前記コンテンツ出力装置の前記出力手段から出力されたコンテンツを識別するコンテンツ識別情報と、当該コンテンツを出力した前記コンテンツ出力装置を識別する装置識別情報とを取得する識別情報取得手段と、前記識別情報取得手段によって取得された装置識別情報によって識別されるコンテンツ出力装置と対応する位置に設置されている前記照明装置を特定する照明特定手段と、前記識別情報取得手段によって取得されたコンテンツ識別情報に対応する前記コンテンツ関連情報を前記記憶手段から読み出して、前記照明特定手段によって特定された照明装置宛に送信する第１の送信手段とを備え、前記照明装置は、前記関連情報送信装置の前記第１の送信手段によって自装置宛に送信された前記コンテンツ関連情報を受信する第１の受信手段と、前記第１の受信手段によって受信された前記コンテンツ関連情報を表す信号を、光源から照射される可視光に乗せて送信する第２の送信手段とを備えることを特徴とする関連情報送信システムを提供する。
【０００７】
本発明の好ましい態様においては、受信端末をさらに備え、前記受信端末は、前記照明装置の前記光源から照射された可視光を受信し、受信した可視光から前記コンテンツ関連情報を表す信号を抽出する第２の受信手段と、前記第２の受信手段によって抽出された前記信号が表すコンテンツ関連情報を出力する出力手段とを備えてもよい。
【０００８】
本発明の好ましい態様においては、配信装置をさらに備え、前記配信装置は、各々の前記コンテンツ出力装置を識別する装置識別情報と、前記コンテンツデータとを対応付けて格納する格納手段と、前記格納手段に格納されている前記コンテンツデータを、当該コンテンツデータに対応付けられた装置識別情報によって識別されるコンテンツ出力装置宛に配信する配信手段とを備え、前記コンテンツ出力装置の前記出力手段は、前記配信装置の前記配信手段から配信されたコンテンツデータに応じたコンテンツを出力してもよい。
【０００９】
本発明の好ましい態様において、前記コンテンツ出力装置は、自装置の位置を検出し、検出した位置を表す位置情報を出力する第１の検出手段を備え、前記照明装置は、自装置の位置を検出し、検出した位置を表す位置情報を出力する第２の検出手段を備え、前記関連情報送信装置の前記照明特定手段は、前記コンテンツ出力装置の前記第１の検出手段及び前記照明装置の前記第２の検出手段から出力された位置情報に基づいて、前記コンテンツ出力装置と対応する位置に設置されている前記照明装置を特定してもよい。
【００１０】
本発明の好ましい態様において、前記関連情報送信装置の前記記憶手段は、前記コンテンツ関連情報と、当該コンテンツ関連情報の送信を制限するための送信制限情報とを対応付けて記憶し、前記第１の送信手段は、前記記憶手段に記憶されている前記送信制限情報に従って、前記コンテンツ関連情報を送信してもよい。
【００１１】
また、本発明は、コンテンツ出力装置から出力される各々のコンテンツを識別するコンテンツ識別情報と、当該コンテンツに関連するコンテンツ関連情報とを対応付けて記憶する記憶手段と、前記コンテンツ出力装置から出力されたコンテンツを識別するコンテンツ識別情報を取得する識別情報取得手段と、前記コンテンツ出力装置と対応する位置に設置されている照明装置を特定する照明特定手段と、前記識別情報取得手段によって取得されたコンテンツ識別情報に対応する前記コンテンツ関連情報を前記記憶手段から読み出して、前記照明特定手段によって特定された照明装置宛に送信する送信手段とを備えることを特徴とする関連情報送信装置を提供する。
【発明の効果】
【００１２】
本発明によれば、スピーカ装置などのコンテンツ出力装置から出力される楽曲などのコンテンツに関連する情報を、そのコンテンツ出力装置と対応する位置に設けられている照明装置から送信することができる。
【図面の簡単な説明】
【００１３】
【図１】関連情報送信システム１を示す図である。
【図２】スピーカ装置４０及び照明装置５０が設置されたある部屋の様子を示す図である。
【図３】配信装置１０の構成を示す図である。
【図４】配信テーブルＴ１の一例を示す図である。
【図５】関連情報送信装置２０の構成を示す図である。
【図６】関連情報テーブルＴ２の一例を示す図である。
【図７】照明特定テーブルＴ３の一例を示す図である。
【図８】スピーカ装置４０の構成を示す図である。
【図９】照明装置５０の構成を示す図である。
【図１０】受信端末６０の構成を示す図である。
【図１１】関連情報送信システム１の動作を示すシーケンス図である。
【図１２】変形例に係る給電レールを示す図である。
【発明を実施するための形態】
【００１４】
［構成］
まず、図１を参照して、本発明に係る関連情報送信システム１について説明する。図に示すように、関連情報送信システム１においては、配信装置１０と関連情報送信装置２０とがインターネットや専用回線等のネットワークを介してＰＬＣ専用アダプタ３０と接続されており、このＰＬＣ専用アダプタ３０には、複数のスピーカ装置４０と照明装置５０とが電力線を介して接続されている。受信端末６０は、例えばＰＤＡ（Personal Digital Assistant）や携帯電話機、あるいはノートパソコンなどの装置であり、利用者によって持ち運ばれて、照明装置５０から光が照射される位置に移動される。この関連情報送信システム１においては、配信装置１０から配信されたバックグラウンドミュージック（以下「ＢＧＭ」）等の楽曲を表す楽曲データＤに基づいて、スピーカ装置４０から楽曲が放音され、さらに放音された楽曲に関連する楽曲関連情報が、楽曲を放音したスピーカ装置４０に対応する位置に設置されている照明装置５０から送信される。
【００１５】
図２は、スピーカ装置４０及び照明装置５０が設置されたある部屋の様子を示す図である。スピーカ装置４０と照明装置５０とは、それぞれ電力線を覆う給電レールに取り付けられて設置されており、電力線から供給される電力により各部が駆動される。図の例では、スピーカ装置４０ａに対応する位置に照明装置５０ａが設置され、スピーカ装置４０ｂに対応する位置に照明装置５０ｂが設置され、スピーカ装置４０ｃに対応する位置に照明装置５０ｃが設置されている。なお、以下の説明において、特に区別の必要がない場合には、スピーカ装置４０ａ〜ｃを総称して「スピーカ装置４０」といい、照明装置５０ａ〜ｃを総称して「照明装置５０」という。
【００１６】
各々のスピーカ装置４０と各々の照明装置５０には、予め異なるＩＰアドレスが割り当てられている。図２に示した例では、スピーカ装置４０ａに「ａａａ．ｂｂｂ．１０．１」というＩＰアドレスが割り当てられ、スピーカ装置４０ｂに「ａａａ．ｂｂｂ．１０．２」というＩＰアドレスが、スピーカ装置４０ｃに「ａａａ．ｂｂｂ．１０．３」というＩＰアドレスが割り当てられている。また、照明装置５０ａには「ａａａ．ｂｂｂ．１０．１１」というＩＰアドレスが割り当てられ、照明装置５０ｂには「ａａａ．ｂｂｂ．１０．１２」というＩＰアドレスが、照明装置５０ｃには「ａａａ．ｂｂｂ．１０．１３」というＩＰアドレスが割り当てられている。なお、この図では、ひとつの部屋についてのみスピーカ装置４０及び照明装置５０が設置されている様子が示されているが、他の部屋にも同様に複数のスピーカ装置４０と照明装置５０とが設置されている。
【００１７】
（配信装置１０の構成）
次に、図３を参照して、配信装置１０の構成について説明する。制御部１１は、ＣＰＵとメモリとを備え、メモリ又は記憶部１３に記憶されているプログラムを読み出して実行することにより、バスを介して配信装置１０の各部を制御する。また、この制御部１１は、時刻を計測する計時機能を有している。通信部１２は、ネットワーク、ＰＬＣ専用アダプタ３０及び電力線を介して接続されたスピーカ装置４０と通信を行うためのインタフェースである。記憶部１３は、例えばハードディスクであり、制御部１１によって実行されるプログラムの他に、複数の楽曲データＤと配信テーブルＴ１とが記憶されている。
【００１８】
楽曲データＤは、ＢＧＭなどの楽曲をスピーカ装置４０から放音させるためのデータである。各々の楽曲データＤには、その楽曲データＤが表す楽曲を識別するための楽曲ＩＤが付加されている。この記憶部１３には、例えば「楽曲０１」という楽曲を表す楽曲データＤ、「楽曲０２」という楽曲を表す楽曲データＤ、「楽曲０３」という楽曲を表す楽曲データＤ、「楽曲０４」という楽曲を表す楽曲データＤ及び「楽曲０５」という楽曲を表す楽曲データＤなどが記憶されている。
【００１９】
配信テーブルＴ１は、記憶部１３に記憶されている楽曲データＤをスピーカ装置４０に配信するためのテーブルである。この配信テーブルＴ１においては、楽曲データＤを配信する時間帯を示す情報と、配信先のスピーカ装置４０のＩＰアドレスと、楽曲ＩＤとが対応付けられている。図４は、配信テーブルＴ１の一例を示す図である。例えば、「１０：００〜１１：００」という時間帯においては、図２に示したスピーカ装置４０ａのＩＰアドレス「ａａａ．ｂｂｂ．１０．１」と「楽曲０１」、スピーカ装置４０ｂのＩＰアドレス「ａａａ．ｂｂｂ．１０．２」と「楽曲０１」、及び、スピーカ装置４０ｃのＩＰアドレス「ａａａ．ｂｂｂ．１０．３」と「楽曲０１」とが対応付けられている。これは、「１０：００〜１１：００」の時間帯には、スピーカ装置４０ａのＩＰアドレス「ａａａ．ｂｂｂ．１０．１」、スピーカ装置４０ｂのＩＰアドレス「ａａａ．ｂｂｂ．１０．２」及びスピーカ装置４０ｃのＩＰアドレス「ａａａ．ｂｂｂ．１０．３」宛に、それぞれ「楽曲０１」という楽曲を表す楽曲データＤが配信されることを表している。
また、「１１：００〜１１：１０」という時間帯においては、スピーカ装置４０ａのＩＰアドレス「ａａａ．ｂｂｂ．１０．１」と「楽曲０２」、スピーカ装置４０ｂのＩＰアドレス「ａａａ．ｂｂｂ．１０．２」と「楽曲０３」、及び、スピーカ装置４０ｃのＩＰアドレス「ａａａ．ｂｂｂ．１０．３」と「楽曲０３」とが対応付けられている。これは、「１１：００〜１１：１０」の時間帯には、スピーカ装置４０ａのＩＰアドレス「ａａａ．ｂｂｂ．１０．１」宛に、「楽曲０２」という楽曲を表す楽曲データＤが配信され、さらにスピーカ装置４０ｂのＩＰアドレス「ａａａ．ｂｂｂ．１０．２」宛と、スピーカ装置４０ｃのＩＰアドレス「ａａａ．ｂｂｂ．１０．３」宛に、それぞれ「楽曲０３」という楽曲を表す楽曲データＤが配信されることを表している。
【００２０】
（関連情報送信装置２０の構成）
次に、図５を参照して、関連情報送信装置２０の構成について説明する。制御部２１は、ＣＰＵとメモリとを備え、メモリ又は記憶部２３に記憶されているプログラムを読み出して実行することにより、バスを介して関連情報送信装置２０の各部を制御する。通信部２２は、ネットワーク、ＰＬＣ専用アダプタ３０及び電力線を介して接続された照明装置５０と通信を行うためのインタフェースである。記憶部２３は、例えばハードディスクであり、制御部２１によって実行されるプログラムの他に、関連情報テーブルＴ２と照明特定テーブルＴ３とが記憶されている。
【００２１】
関連情報テーブルＴ２は、スピーカ装置４０から出力される各々の楽曲を識別する楽曲ＩＤと、その楽曲に関連する楽曲関連情報との対応関係を示すテーブルである。図６は、関連情報テーブルＴ２の一例を示す図である。この関連情報テーブルＴ２においては、楽曲関連情報として、楽曲紹介情報と優待情報とが対応付けられている。楽曲紹介情報は、その楽曲がどのような楽曲であるかを紹介するための情報であり、例えば楽曲の曲名、楽曲のアーティスト名、その楽曲が収録されているアルバム名、楽曲が発売される発売日、楽曲を購入する際の定価などの情報である。優待情報は、その楽曲を購入する際に優待を受けるための情報であり、例えば割引券などである。この関連情報テーブルＴ２においては、「楽曲０１」と「楽曲０１紹介情報」とが対応付けられ、「楽曲０２」と「楽曲０２紹介情報」及び「割引券」とが対応付けられ、「楽曲０３」と「楽曲０３紹介情報」とが対応付けられている。なお、「楽曲０１」，「楽曲０３」には優待情報が対応付けられていないが、これは、これらの楽曲については優待情報が用意されていないことを表している。
【００２２】
照明特定テーブルＴ３は、各々のスピーカ装置４０に対応する位置に設置されている照明装置５０を特定するためのテーブルである。この照明特定テーブルＴ３においては、各々のスピーカ装置４０のＩＰアドレスと、各スピーカ装置４０に対応する位置に設置されている照明装置５０のＩＰアドレスとが対応付けられている。図７は、照明特定テーブルＴ３の一例を示す図である。この照明特定テーブルＴ３においては、図２に示したスピーカ装置４０ａのＩＰアドレス「ａａａ．ｂｂｂ．１０．１」と照明装置５０ａのＩＰアドレス「ａａａ．ｂｂｂ．１０．１１」とが対応付けられ、スピーカ装置４０ｂのＩＰアドレス「ａａａ．ｂｂｂ．１０．２」と照明装置５０ｂのＩＰアドレス「ａａａ．ｂｂｂ．１０．１２」とが対応付けられ、スピーカ装置４０ｃのＩＰアドレス「ａａａ．ｂｂｂ．１０．３」と照明装置５０ｃのＩＰアドレス「ａａａ．ｂｂｂ．１０．１３」とが対応付けられている。これは、スピーカ装置４０ａに対応する位置に設置されている照明装置５０として照明装置５０ａが特定され、スピーカ装置４０ｂに対応する位置に設置されている照明装置５０として照明装置５０ｂが特定され、スピーカ装置４０ｃに対応する位置に設置されている照明装置５０として照明装置５０ｃが特定されることを表している。
【００２３】
（ＰＬＣアダプタの構成）
ＰＬＣ専用アダプタ３０は、配信装置１０もしくは関連情報送信装置２０、又は、スピーカ装置４０もしくは照明装置５０から送られてきたデータをＰＬＣ（Power Line Communications）方式で転送する。詳細に説明すると、ＰＬＣ専用アダプタ３０は、配信装置１０又は関連情報送信装置２０からネットワークを介してデータが送られてくると、そのデータを示す信号を商用電力に重畳させて、電力線を介してスピーカ装置４０又は照明装置５０に供給する。また、ＰＬＣ専用アダプタ３０は、スピーカ装置４０又は照明装置５０から電力線を介して商用電力が供給されると、その電力に重畳された信号を抽出し、抽出した信号が示すデータをネットワークを介して配信装置１０又は関連情報送信装置２０に転送する。
【００２４】
（スピーカ装置４０の構成）
次に、図８を参照して、スピーカ装置４０の構成について説明する。なお、スピーカ装置４０を構成する各部には電力線からの電力が供給されるが、図においては、図面が煩雑になるのを防ぐため、給電ラインは省略している。通信部４１は、電力線を介して供給される商用電力に重畳されたデータを抽出し、そのデータの宛先が自装置のＩＰアドレスと一致する場合には、抽出したデータを取得し、データバッファ４２に供給する。また、この通信部４１は、例えば放音した楽曲の楽曲ＩＤなどの情報を商用電力に重畳させて、ネットワークを介して関連情報送信装置２０に送信する。データバッファ４２は、通信部４１から供給されたデータを一時的に記憶し、所定量蓄積してＤ／Ａ変換部４３に供給する。Ｄ／Ａ変換部４３は、データバッファ４２から供給されたデータをアナログ信号に変換して、出力する。オーディオ信号再生部４４は、Ｄ／Ａ変換部４３から出力されるアナログ信号を増幅し、スピーカ４５に供給することによってスピーカ４５を駆動する。スピーカ４５は、オーディオ信号再生部４４から供給されるアナログ信号に応じた音を発生する。このようにして、スピーカ装置４０は、例えば配信装置１０から自装置宛に配信された楽曲データＤに応じた楽曲を放音する。
【００２５】
（照明装置５０の構成）
次に、図９を参照して、照明装置５０の構成について説明する。なお、照明装置５０を構成する各部には電力線からの電力が供給されるが、図においては給電ラインを省略している。受信部５１は、電力線を介して供給される商用電力に重畳されたデータを抽出して、そのデータの宛先が自装置のＩＰアドレスと一致する場合には、抽出したデータを受信し、変調部５２に供給する。変調部５２は、受信部５１から供給されたデータを表す信号を、光源５４に供給する信号に重畳させて、光源制御部５３に供給する。光源制御部５３は、変調部５２から供給された信号に応じて光源５４から可視光を照射させる。光源５４は、光源制御部５３の制御に従って可視光を照射する。例えば、図２に示した照明装置５０ａの光源５４からは図２中の照射範囲Ｓａに光が照射され、照明装置５０ｂの光源５４からは照射範囲Ｓｂに光が照射され、照明装置５０ｃの光源５４からは照射範囲Ｓｃに光が照射される。このようにして、照明装置５０は、例えば関連情報送信装置２０から自装置宛に送信された楽曲関連情報を表す信号を可視光に重畳して送信する。
【００２６】
（受信端末６０の構成）
次に、図１０を参照して、受信端末６０の構成について説明する。制御部６１は、ＣＰＵとメモリとを備え、メモリ又は記憶部６２に記憶されているプログラムを読み出して実行することにより、バスを介して受信端末６０の各部を制御する。記憶部６２は、例えばハードディスクであり、制御部６１によって実行されるプログラムが記憶されている。受光部６３は、照明装置５０の光源５４から照射された可視光を受信して、復調部６４に供給する。復調部６４は、受光部６３によって受信された可視光に乗畳された信号を抽出する。表示部６５は、例えば液晶ディスプレイであり、制御部６１の制御に従って各種の画像を表示する。操作部６６は、例えばキーボードとマウスであり、利用者による操作に応じた操作信号を制御部６１に供給する。
【００２７】
［動作］
次に、図１１を参照して、関連情報送信システム１の動作について説明する。
（楽曲データＤの配信）
まず、配信装置１０がスピーカ装置４０に楽曲データＤを配信する動作について説明する。
配信装置１０の制御部１１は、記憶部１３に記憶されている配信テーブルＴ１に基づいて、記憶部１３に記憶されている楽曲データＤを、通信部１２からスピーカ装置４０に配信する（ステップＳ１００）。例えば、図４に示した配信テーブルＴ１が記憶部１３に記憶されている場合、計測していた時刻が１１：００になると、制御部１１は、「楽曲０２」という楽曲を表す楽曲データＤを記憶部１３から読み出して、「ａａａ．ｂｂｂ．１０．１」というＩＰアドレス宛に配信するとともに、「楽曲０３」という楽曲を表す楽曲データＤを記憶部１３から読み出して、「ａａａ．ｂｂｂ．１０．２」というＩＰアドレスと「ａａａ．ｂｂｂ．１０．３」というＩＰアドレス宛に配信する。配信装置１０から配信されたこれらの楽曲データＤは、ＰＬＣ専用アダプタ３０によって、商用電力に重畳されて、電力線を介してスピーカ装置４０に供給される。
【００２８】
スピーカ装置４０は、配信装置１０から配信されて、ＰＬＣ専用アダプタ３０によって商用電力に重畳されて供給された楽曲データＤのうち、自装置宛に配信された楽曲データＤを取得する（ステップＳ１１０）。詳細に説明すると、スピーカ装置４０の通信部４１は、ＰＬＣ専用アダプタ３０から供給される商用電力に重畳された楽曲データＤを抽出し、抽出した楽曲データＤの宛先が、自装置に割り当てられたＩＰアドレスと一致するか否かを判断する。そして、通信部４１は、双方のＩＰアドレスが一致する場合には、抽出した楽曲データＤをデータバッファ４２に供給し、双方のＩＰアドレスが一致しない場合には、抽出した楽曲データＤをデータバッファ４２に供給せずに破棄する。
【００２９】
例えば、上述したように、配信装置１０から「ａａａ．ｂｂｂ．１０．１」というＩＰアドレス宛に「楽曲０２」という楽曲を表す楽曲データＤが配信され、さらに「ａａａ．ｂｂｂ．１０．２」というＩＰアドレスと「ａａａ．ｂｂｂ．１０．３」というＩＰアドレス宛にそれぞれ「楽曲０３」という楽曲を表す楽曲データＤが配信された場合を想定する。その場合、例えばスピーカ装置４０ａの通信部４１が、ＰＬＣ専用アダプタ３０から供給された商用電力に重畳された「楽曲０２」という楽曲を表す楽曲データＤを抽出したとすると、この通信部４１は、その楽曲データＤの宛先「ａａａ．ｂｂｂ．１０．１」と自装置のＩＰアドレス「ａａａ．ｂｂｂ．１０．１」とが一致すると判断し、抽出した楽曲データＤをデータバッファ４２に供給する。一方、スピーカ装置４０ａの通信部４１が、ＰＬＣ専用アダプタ３０から供給された商用電力に重畳された「楽曲０３」という楽曲を表す楽曲データＤを抽出したとすると、この通信部４１は、その楽曲データＤの宛先「ａａａ．ｂｂｂ．１０．２」，「ａａａ．ｂｂｂ．１０．３」と自装置のＩＰアドレス「ａａａ．ｂｂｂ．１０．１」とが一致しないと判断し、抽出した楽曲データＤをデータバッファ４２に供給せずに破棄する。
同様にして、スピーカ装置４０ｂ，ｃの通信部４１は、ＰＬＣ専用アダプタ３０から供給された商用電力に重畳された「楽曲０２」の楽曲データＤを抽出すると、抽出した楽曲データＤをデータバッファ４２に供給せずに破棄する。一方、スピーカ装置４０ｂ，ｃの通信部４１は、ＰＬＣ専用アダプタ３０から供給された商用電力に重畳された「楽曲０３」という楽曲を表す楽曲データＤを抽出すると、抽出した楽曲データＤをデータバッファ４２に供給する。このようにして、各々のスピーカ装置４０は、配信装置１０から自装置宛に配信された楽曲データＤを取得する。
【００３０】
続いて、スピーカ装置４０は、取得した楽曲データＤに応じた楽曲を放音する（ステップＳ１２０）。詳細に説明すると、通信部４１によってデータバッファ４２に供給された楽曲データＤは、所定量蓄積されて、Ｄ／Ａ変換部４３に供給される。Ｄ／Ａ変換部４３は、データバッファ４２から供給された楽曲データＤをアナログ信号であるオーディオ信号に変換し、オーディオ信号再生部４４は、Ｄ／Ａ変換部４３によって変換されたオーディオ信号を所定量増幅させる。そして、スピーカ４５は、オーディオ信号再生部４４によって増幅されたオーディオ信号に応じた音を発生する。これにより、例えばスピーカ装置４０ａからは、「楽曲０２」という楽曲が放音され、スピーカ装置４０ｂ，ｃのスピーカ４５からは、それぞれ「楽曲０３」という楽曲が放音される。
【００３１】
（楽曲関連情報の送信）
続いて、関連情報送信装置２０が照明装置５０に楽曲関連情報を送信する動作について説明する。
スピーカ装置４０は、ステップＳ１２０において楽曲を放音すると、放音した楽曲を識別する楽曲ＩＤと自装置の識別情報とを、通信部４１から関連情報送信装置２０に送信する（ステップＳ１３０）。この処理は、スピーカ装置４０が新たな楽曲を放音する度に行われる。この例では、図２に示したスピーカ装置４０ａから「楽曲０２」と「スピーカ装置４０ａ」とが送信され、スピーカ装置４０ｂから「楽曲０３」と「スピーカ装置４０ｂ」とが送信され、スピーカ装置４０ｃから「楽曲０３」と「スピーカ装置４０ｃ」とが送信される。
【００３２】
スピーカ装置４０から楽曲ＩＤ及びスピーカ装置の識別情報が送信されてくると、関連情報送信装置２０の制御部２１は、送信されてきた楽曲ＩＤ及びスピーカ装置の識別情報を取得し、記憶部２３に記憶されている照明特定テーブルＴ３に基づいて、取得したスピーカ装置の識別情報が表すスピーカ装置４０と対応する位置に設置されている照明装置５０を特定する（ステップＳ１４０）。例えば、図７に示した照明特定テーブルＴ３が記憶部２３に記憶されている場合、スピーカ装置４０ａに対応する位置に設置されている照明装置５０としては、スピーカ装置４０ａのＩＰアドレス「ａａａ．ｂｂｂ．１０．１」に対応付けられたＩＰアドレス「ａａａ．ｂｂｂ．１０．１１」が割り当てられた照明装置５０ａが特定される。同様にして、スピーカ装置４０ｂに対応する位置に設置されている照明装置５０としては、照明装置５０ｂのＩＰアドレス「ａａａ．ｂｂｂ．１０．２」に対応付けられたＩＰアドレス「ａａａ．ｂｂｂ．１０．１２」が割り当てられた照明装置５０ｂが特定され、スピーカ装置４０ｃに対応する位置に設置されている照明装置５０としては、照明装置５０ｃのＩＰアドレス「ａａａ．ｂｂｂ．１０．３」に対応付けられたＩＰアドレス「ａａａ．ｂｂｂ．１０．１３」が割り当てられた照明装置５０ｃが特定される。
【００３３】
続いて、制御部２１は、記憶部２３に記憶されている関連情報テーブルＴ２において、スピーカ装置４０から取得した楽曲ＩＤと対応付けられている楽曲関連情報を読み出して、そのスピーカ装置４０と対応する位置に設置されている照明装置５０として特定された照明装置５０に送信する（ステップＳ１５０）。例えば、図６に示した関連情報テーブルＴ２が記憶部２３に記憶されている場合、スピーカ装置４０ａから取得した「楽曲０２」という楽曲の楽曲関連情報である「楽曲０２紹介情報」及び「割引券」が読み出されて、ステップＳ１４０においてスピーカ装置４０ａと対応する位置に設置されている照明装置５０として特定された照明装置５０ａのＩＰアドレス「ａａａ．ｂｂｂ．１０．１１」宛に送信される。同様にして、スピーカ装置４０ｂ，ｃから取得した「楽曲０３」という楽曲の楽曲関連情報である「楽曲０３紹介情報」が読み出されて、スピーカ装置４０ｂと対応する位置に設置されている照明装置５０として特定された照明装置５０ｂの「ａａａ．ｂｂｂ．１０．１２」宛と、スピーカ装置４０ｃと対応する位置に設置されている照明装置５０として特定された照明装置５０ｃのＩＰアドレス「ａａａ．ｂｂｂ．１０．１３」宛に送信される。配信装置１０から送信されたこれらの楽曲関連情報は、ＰＬＣ専用アダプタ３０によって商用電力に重畳されて、電力線を介して照明装置５０に供給される。
【００３４】
照明装置５０は、関連情報送信装置２０から送信されて、ＰＬＣ専用アダプタ３０によって商用電力に重畳されて供給された楽曲関連情報のうち、自装置宛に送信された楽曲関連情報を受信する（ステップＳ１６０）。詳細に説明すると、照明装置５０の受信部５１は、ＰＬＣ専用アダプタ３０から供給される商用電力に重畳された楽曲関連情報を抽出し、その楽曲関連情報の宛先が、自装置に割り当てられたＩＰアドレスと一致するか否かを判断する。そして、受信部５１は、双方のＩＰアドレスが一致する場合には、抽出した楽曲関連情報を変調部５２に供給し、双方のＩＰアドレスが一致しない場合には、抽出した楽曲関連情報を変調部５２に供給せずに破棄する。
【００３５】
例えば、上述したように、配信装置１０から、「ａａａ．ｂｂｂ．１０．１１」というＩＰアドレス宛に「楽曲０２紹介情報」及び「割引券」が送信され、「ａａａ．ｂｂｂ．１０．１２」というＩＰアドレスと「ａａａ．ｂｂｂ．１０．１３」というＩＰアドレス宛に「楽曲０３紹介情報」が送信された場合を想定する。その場合、例えば、照明装置５０ａの受信部５１が、ＰＬＣ専用アダプタ３０から供給された商用電力に重畳された「楽曲０２紹介情報」及び「割引券」を抽出したとすると、この受信部５１は、その宛先「ａａａ．ｂｂｂ．１０．１１」と自装置のＩＰアドレス「ａａａ．ｂｂｂ．１０．１１」とが一致すると判断して、抽出した「楽曲０２紹介情報」及び「割引券」を変調部５２に供給する。一方、照明装置５０ａの受信部５１が、ＰＬＣ専用アダプタ３０から供給された商用電力に重畳された「楽曲０３紹介情報」を抽出したとすると、この受信部５１は、その宛先「ａａａ．ｂｂｂ．１０．１２」，「ａａａ．ｂｂｂ．１０．１３」と自装置のＩＰアドレス「ａａａ．ｂｂｂ．１０．１１」とが一致しないと判断して、抽出した「楽曲０３紹介情報」を変調部５２に供給せずに破棄する。同様にして、照明装置５０ｂ，ｃの受信部５１は、ＰＬＣ専用アダプタ３０から供給された商用電力に重畳された「楽曲０２紹介情報」及び「割引券」を抽出すると、抽出したこれらの情報を変調部５２に供給せずに破棄する。一方、照明装置５０ｂ，ｃの受信部５１は、ＰＬＣ専用アダプタ３０から供給された商用電力に重畳された「楽曲０３紹介情報」を抽出すると、抽出したこの情報を変調部５２に供給する。このようにして、各々の照明装置５０は、関連情報送信装置２０から自装置宛に配信された楽曲関連情報を受信する。
【００３６】
そして、照明装置５０は、受信した楽曲関連情報を表す信号を、光源５４から照射される光に乗せて送信する（ステップＳ１７０）。詳細に説明すると、照明装置５０の変調部５２は、受信部５１から供給された楽曲関連情報を表す信号を光源５４に供給する信号に重畳させて、光源制御部５３に供給する。光源制御部５３は、変調部５２から供給された信号に応じて光源５４に光を照射させ、光源５４は、光源制御部５３の制御に従って光を照射する。このようにして、例えば照明装置５０ａからは、関連情報送信装置２０から送信された「楽曲０２紹介情報」及び「割引券」を表す信号が重畳された光が照射され、照明装置５０ｂ，ｃからは、それぞれ「楽曲０３紹介情報」を表す信号が重畳された光が照射される。
【００３７】
受信端末６０は、例えば利用者によって移動されて、照明装置５０の照射範囲に移動されると、照明装置５０から照射された光を受信して、受信した光から信号を抽出する（ステップＳ１８０）。詳細に説明すると、例えば、受信端末６０を所持する利用者が図２に示したスピーカ装置４０ａの近傍で、スピーカ装置４０ａから放音された「楽曲０２」という楽曲を聞いており、この利用者が「楽曲０２」という楽曲に関連する楽曲関連情報を得るために照明装置５０ａの照射範囲Ｓａ内に移動して、照明装置５０ａから照射された光に受信端末６０の受光部６３を向けたとする。その場合、受信端末６０の受光部６３は、照明装置５０ａから照射された光を受信して復調部６４に供給し、復調部６４は、受光部６３から供給された光に重畳された「楽曲０２紹介情報」及び「割引券」を表す信号を抽出する。
【００３８】
照明装置５０から照射された光を受信してその光の重畳された信号を抽出すると、受信端末６０の制御部６１は、抽出された信号が表す楽曲関連情報を表示部６５に表示させる（ステップＳ１９０）。この例では、受信端末６０の表示部６５には、「楽曲０２」という楽曲の楽曲関連情報である「楽曲０２紹介情報」及び「割引券」が表示される。これにより、利用者は、スピーカ装置４０ａから放音された「楽曲０２」という楽曲に関連する情報である「楽曲０２紹介情報」及び「割引券」を得ることができる。
【００３９】
また、例えば、受信端末６０を所持する利用者が図２に示したスピーカ装置４０ｂの近傍で、スピーカ装置４０ｂから放音された「楽曲０３」という楽曲を聞いており、この利用者が「楽曲０３」という楽曲に関連する楽曲関連情報を得るために照明装置５０ｂの照射範囲Ｓｂ内に移動して、照明装置５０ｂから照射された光に受信端末６０の受光部６３を向けたとする。その場合、受信端末６０の受光部６３は、照明装置５０ｂから照射された光を受信して復調部６４に供給し、復調部６４は、受光部６３から供給された光に重畳された「楽曲０３紹介情報」を表す信号を抽出する。そして、制御部６１は、抽出された信号が表す「楽曲０３紹介情報」を表示部６５に表示させる。これにより、利用者は、スピーカ装置４０ｂから放音された「楽曲０３」という楽曲に関連する情報である「楽曲０３紹介情報」を得ることができる。
【００４０】
以上説明した実施形態によれば、スピーカ装置４０から放音される楽曲に関連する情報を、そのスピーカ装置４０と対応する位置に設けられた照明装置５０から送信して、利用者に提供することができる。
【００４１】
［変形例］
以上が実施形態の説明であるが、この実施形態の内容は以下のように変形し得る。また、以下の各変形例を適宜組み合わせてもよい。
【００４２】
（１）上述した実施形態において、スピーカ装置４０は、放音した楽曲を識別する楽曲ＩＤと自装置の識別情報とを関連情報送信装置２０に送信していた。これに対し、スピーカ装置４０は、楽曲ＩＤに代えて、放音した楽曲の冒頭数秒分の波形データを関連情報送信装置２０に送信してもよい。この場合、関連情報送信装置２０の制御部２１は、記憶部２３に予め記憶されている各々の楽曲の冒頭数秒分の波形データとその楽曲の楽曲ＩＤとの対応関係に基づいて、スピーカ装置４０から送信されてきた波形データに対応する楽曲ＩＤを特定する。この方法であっても、上述した実施形態と同様の効果が得られる。
【００４３】
（２）上述した関連情報テーブルＴ２においては、楽曲ＩＤと楽曲関連情報とが対応付けられていた。これに対し、例えば楽曲関連情報に楽曲の歌詞を表す情報が含まれている場合には、楽曲ＩＤと楽曲関連情報に加えて、その歌詞の著作権者名が対応付けられていてもよい。この場合、関連情報送信装置２０の制御部２１は、歌詞を含む楽曲関連情報を送信する度に、その歌詞の著作権者に支払うべき使用料を加算し、著作権者毎の使用料を算出する。そして、制御部２１は、著作権者毎に算出した使用料を著作権管理事業者に振り込む決済処理を、所定のタイミングで決済システムに依頼する。これにより、楽曲の関連情報を送信するとともに、著作権者毎の使用料を算出し、その決済処理を依頼することができる。
【００４４】
また、上述した関連情報テーブルＴ２においては、楽曲ＩＤと楽曲関連情報に加えて、送信制限情報が対応付けられていてもよい。この場合、関連情報送信装置２０の制御部２１は、例えば送信制限情報が「送信禁止」であったときには、スピーカ装置４０から楽曲が放音されて、その楽曲の楽曲ＩＤが送信されてきても、スピーカ装置４０から放音された楽曲に関連する楽曲関連情報を送信しない。また、関連情報送信装置２０の制御部２１は、例えば送信制限情報が「曲名、アーティスト名のみ送信許可」であったときには、許可された楽曲関連情報のみを送信する。これにより、関連情報送信装置２０から送信される楽曲関連情報に制限をかけることができる。
【００４５】
（３）上述した照明特定テーブルＴ３においては、１台のスピーカ装置４０のＩＰアドレスと１台の照明装置５０のＩＰアドレスとが対応付けられていた。これに対し、１台のスピーカ装置４０のＩＰアドレスと、そのスピーカ装置４０の近傍に設置されている複数台の照明装置５０のＩＰアドレスとが対応付けられていてもよい。また、照明特定テーブルＴ３においては、１台のスピーカ装置４０のＩＰアドレスと、給電レールのＩＰアドレスとが対応付けられていてもよい。この場合、関連情報送信装置２０の制御部２１は、その給電レールに設置されている全ての照明装置５０に対してＩＰアドレスの送信を要求し、その要求に応じて送信されてきた全てのＩＰアドレス宛に楽曲関連情報を送信する。これにより、複数の照明装置５０が取り付けられている給電レール毎に楽曲関連情報を送信することができる。
【００４６】
また、この照明特定テーブルＴ３は、関連情報送信装置２０の管理者などによって、書き換えられてもよい。この場合、関連情報送信装置２０には、管理者による操作を受け付ける操作部と液晶ディスプレイなどの表示部とが設けられ、管理者は、操作部を操作することによって、照明特定テーブルＴ３を書き換える。例えば火災などが発生し、建物内にいる人を建物外に避難させなければならない状態になった場合には、管理者が、緊急時に避難誘導を行うための「１階に逃げてください」といった音声を放音するスピーカのＩＰアドレスと、給電レールに接続されている全ての照明装置のＩＰアドレスとが対応付けられるように、照明特定テーブルＴ３を書き換える。例えば、関連情報テーブルＴ２において、「１階に逃げてください」といった音声と、１階に降りるための地図を表す情報とが対応付けられているとすると、建物内の全ての照明装置から、１階に降りるための地図を表す情報を送信させることができる。
【００４７】
（４）上述した実施形態においては、スピーカ装置４０に楽曲データＤを配信する配信装置１０を設けていたが、この配信装置１０を設けなくてもよい。この場合、スピーカ装置４０は、複数の楽曲データを格納する記憶部を備え、この記憶部に格納されている楽曲データＤに応じた楽曲を順に放音する。この構成であっても、上述した実施形態と同様の効果が得られる。
【００４８】
（５）上述した実施形態では、配信装置１０がスピーカ装置４０に楽曲データＤを配信し、関連情報送信装置２０が照明装置５０に楽曲関連情報を送信していた。これに対し、関連情報送信装置２０が、照明装置５０に楽曲関連情報を送信する機能に加えて、スピーカ装置４０に楽曲データＤを配信する機能を有していてもよい。この場合、関連情報送信装置２０は、スピーカ装置４０に楽曲データＤを配信すると、配信した楽曲データＤが表す楽曲の楽曲ＩＤを取得し、取得した楽曲ＩＤに対応する楽曲関連情報を特定する。そして、関連情報送信装置２０は、楽曲データＤの配信先となるスピーカ装置４０と対応する位置に設置されている照明装置５０宛に、特定した楽曲関連情報を送信する。この構成であっても、上述した実施形態と同様の効果が得られる。
【００４９】
（６）上述した実施形態において、受信端末６０の制御部６１は、受光した光から抽出した信号が表す楽曲関連情報を表示部６５に表示させていた。これに対し、制御部６１は、受光した光から抽出した信号が表す楽曲関連情報を記憶部６２に記憶させてもよい。また制御部６１は、その楽曲関連情報を印刷装置に出力して、印刷させてもよい。要は、受信端末６０は、抽出した楽曲関連情報を出力すればよい。
【００５０】
（７）上述した実施形態において、照明特定テーブルＴ３は、予め管理者などによって作成されて記憶部２３に記憶されていたが、関連情報送信装置２０の制御部２１が、所定のタイミングでこの照明特定テーブルＴ３を作成してもよい。この場合、給電レールに取り付けられたスピーカ装置４０及び照明装置５０は、給電レール上における自装置の位置を検出して、検出した位置を表す位置情報と自装置のＩＰアドレスとを関連情報送信装置２０に出力する。関連情報送信装置２０の制御部２１は、スピーカ装置４０及び照明装置５０から出力された位置情報に基づいて、給電レールに取り付けられたスピーカ装置４０と照明装置５０の位置を特定し、各々のスピーカ装置４０のＩＰアドレスと、そのスピーカ装置４０から所定の範囲内に設置されている照明装置５０のＩＰアドレスとを対応付けて、照明特定テーブルＴ３を作成する。また、一方の装置の位置が固定されている場合には、関連情報送信装置２０の記憶部２３に、その装置のＩＰアドレスと、固定されている位置を表す位置情報とを予め記憶させておき、他方の位置が固定されていない装置の位置情報のみを取得することにより、給電レールに取り付けられたスピーカ装置４０と照明装置５０の位置を特定し、照明特定テーブルＴ３を作成してもよい。さらに、上述した所定の範囲は、管理者などによって変更されてもよい。
【００５１】
具体的に説明すると、給電レールの内側には、給電レール上の位置を表す位置情報が記憶されたバーコードが所定間隔毎に貼着される。図１２は、給電レールの内側に、給電レール上の位置を表す位置情報が記憶されたバーコードが、１０ｃｍ毎に貼着された例を示す図である。この例では、右端のバーコードには「０ｃｍ」という位置情報が記憶されており、その左隣のバーコードには順に「１０ｃｍ」，「２０ｃｍ」，…，「９０ｃｍ」という位置情報が記憶されている。この給電レールに設置されているスピーカ装置４０及び照明装置５０はそれぞれ、給電レールの内側に貼着されているバーコードを読み取るセンサを備えており、自装置が設置されている位置に貼着されているバーコードを読み取って、給電レール上の位置を表す位置情報と、自装置のＩＰアドレスとを関連情報送信装置２０に出力する。このようにして、関連情報送信装置２０には、給電レールに設置されている全てのスピーカ装置４０と照明装置５０の位置を表す位置情報とＩＰアドレスとが通知される。
【００５２】
関連情報送信装置２０の制御部２１は、スピーカ装置４０及び照明装置５０から出力された位置情報に基づいて、各々のスピーカ装置４０のＩＰアドレスと、そのスピーカ装置４０の位置から所定範囲内に設置されている照明装置５０のＩＰアドレスとを対応付ける。例えば、図１２に示したスピーカ装置４０ｐから「２０ｃｍ」という位置情報が通知され、スピーカ装置４０ｑから「８０ｃｍ」という位置情報が通知されたとする。さらに、照明装置５０ｒから「１０ｃｍ」という位置情報が通知され、照明装置５０ｓから「４０ｃｍ」という位置情報が、照明装置５０ｔから「７０ｃｍ」という位置情報が通知されたとする。例えば、所定範囲が左右２０ｃｍ以内である場合、関連情報送信装置２０の制御部２１は、スピーカ装置４０ｐのＩＰアドレスと、スピーカ装置４０ｐの位置から左右２０ｃｍ以内に位置する照明装置５０ｒのＩＰアドレス及び照明装置５０ｓのＩＰアドレスとを対応付ける。同様にして、関連情報送信装置２０の制御部２１は、スピーカ装置４０ｑのＩＰアドレスと、スピーカ装置４０ｑの位置から左右２０ｃｍ以内に位置する照明装置５０ｔのＩＰアドレスとを対応付ける。このようにして、照明関連情報送信装置２０の制御部２１は、照明特定テーブルを作成し、作成した照明特定テーブルに基づいて、スピーカ装置４０に対応する位置に設置されている照明装置５０を特定する。これにより、管理者などが予め照明特定テーブルを作成しておかなくても、スピーカ装置４０に対応する位置に設置されている照明装置５０と特定することができる。また、この方法によれば、照明装置５０やスピーカ装置４０が移動されても、各々のスピーカ装置４０に対応する位置に設置されている照明装置５０を特定することができる。
【００５３】
（８）上述した実施形態において、スピーカ装置４０からは、ＢＧＭなどの楽曲を表す楽曲データＤに応じた楽曲が放音されていた。これに対し、例えば、スピーカ装置４０及び照明装置５０が生鮮食品店内に設置されている場合には、スピーカ装置４０から、商品の割引券の配布を告知する音声や楽曲が放音されてもよい。その場合、配信装置１０の記憶部１３には、上述した楽曲データＤに代えて、割引券の配布を予告する音声や楽曲をスピーカ装置４０に放音させるためのオーディオデータが記憶される。また、関連情報送信装置２０の記憶部２３には、楽曲関連情報として、スピーカ装置４０から放音される音声や楽曲にて予告された割引券が記憶される。これにより、スピーカ装置４０から割引券の配布を告知するための音声や楽曲が放音されると、その告知を聞いてそのスピーカ装置４０の周辺に集まった客に対して、スピーカ装置４０の近傍に設置された照明装置５０から割引券を送信することができる。
【００５４】
（９）上述した実施形態では、楽曲関連情報に含まれる全ての情報が、特定された照明装置５０に送られていた。これに対し、楽曲関連情報に含まれる情報が、複数の照明装置５０に分散されて送られていもよい。例えば、関連情報送信装置２０の記憶部２３に記憶されている関連情報テーブルＴ２において、「楽曲０１」と、アーティスト名を表す「楽曲０１関連情報_０１」、歌詞を表す「楽曲０１関連情報_０２」及び楽曲のエピソードを表す「楽曲０１関連情報_０３」とが対応付けられており、「楽曲０１」という楽曲を表す楽曲データＤが配信されたスピーカ装置４０に対応する位置に照明装置５０ｘ，ｙ，ｚが設置されている場合、関連情報送信装置２０の制御部２１は、照明装置５０ｘにアーティスト名を表す「楽曲０１関連情報_０１」を送信し、照明装置５０ｙに歌詞を表す「楽曲０１関連情報_０２」を送信し、照明装置５０ｚに楽曲のエピソードを表す「楽曲０１関連情報_０３」を送信してもよい。この場合、受信端末６０の利用者は、スピーカ装置４０に対応する位置に設置された照明装置５０ｘ，ｙ，ｚの照射範囲を受信端末６０を持ちながら順に巡り、各々の照明装置５０から送信される楽曲関連情報を集める。これにより、受信端末６０の利用者に対して、単に楽曲関連情報を提供するだけではなく、ゲーム性や競争性を加えた楽曲関連情報の提供を行うことができる。
【００５５】
（１０）上述した実施形態においては、給電レールに設置されているスピーカ装置４０に代えて、表示装置が設置されていてもよい。この場合、配信装置１０からは、表示装置に画像を表示させるための画像データが配信され、表示装置は、配信装置１０から配信された画像データに応じた画像を表示する。そして、関連情報送信装置２０は、表示装置において表示された画像に関連する情報を、その表示装置と対応する位置に設置されている照明装置５０に送信する。
要は、配信装置１０からは、コンテンツデータが配信されればよく、コンテンツデータとしてはオーディオデータや画像データなど種々のコンテンツの適用が可能である。そして、配信装置１０からコンテンツデータが配信される装置は、配信されたコンテンツデータに応じたコンテンツを出力するコンテンツ出力装置であればよく、関連情報送信装置２０は、このコンテンツ出力装置から出力されたコンテンツに関連する情報を、そのコンテンツ出力装置と対応する位置に設置されている照明装置５０に送信すればよい。
【符号の説明】
【００５６】
１…関連情報送信システム、１０…配信装置、１１…制御部、１２…通信部、１３…記憶部、Ｄ…楽曲データ、Ｔ１…配信テーブル、２０…関連情報送信装置、２１…制御部、２２…通信部、２３…記憶部、Ｔ２…関連情報テーブル、Ｔ３…照明特定テーブル、３０…ＰＬＣ専用アダプタ、４０…スピーカ装置、４１…通信部、４２…データバッファ、４３…Ｄ／Ａ変換部、４４…オーディオ信号再生部、４５…スピーカ、５０…照明装置、５１…受信部、５２…変調部、５３…光源制御部、５４…光源、６０…受信端末、６１…制御部、６２…記憶部、６３…受光部、６４…復調部、６５…表示部、６６…操作部。
【図１】
0005641012.tif 000002
【図２】
0005641012.tif 000003
【図３】
0005641012.tif 000004
【図４】
0005641012.tif 000005
【図５】
0005641012.tif 000006
【図６】
0005641012.tif 000007
【図７】
0005641012.tif 000008
【図８】
0005641012.tif 000009
【図９】
0005641012.tif 000010
【図１０】
0005641012.tif 000011
【図１１】
0005641012.tif 000012
【図１２】
0005641012.tif 000013